(57)【要約】【課題】施錠状態で前扉が強く開方向に引かれた場合でも、係止部分の変形を防止すると共に、軽く前扉を閉じて施錠することができる施錠装置の受け金具を提供する。【解決手段】施錠装置の受け金具１は、ゲーム機のキャビネット３０の内側に取り付けられ、ゲーム機の前扉３１の内側に取り付けられた施錠装置の上下の鉤部材２３，２４がその係止部３，４に係止される。キャビネット３０の内壁面に取付け固定される取付板部２の側面に、係止部３，４が直角に突設される。係止部３，４の正面は凸状曲面３ａ，４ａとして形成されると共に、係止部３，４の側面は略円弧状に形成される。【選択図】図１
2006345913.tif 000002
【特許請求の範囲】
【請求項１】
ゲーム機のキャビネットの内側に取り付けられ、該ゲーム機の前扉の内側に取り付けられた施錠装置の鉤部材が係止される施錠装置の受け金具において、
該キャビネットの内壁面に取付け固定される取付板部と、該取付板部の側面に直角に突設され、該鉤部材が係止される係止部とを備え、該前扉の閉鎖時に該鉤部材の先端傾斜部が接触する該係止部の正面が凸状曲面を有して形成されていることを特徴とする施錠装置の受け金具。
【請求項２】
前記係止部は、円筒における円周の一部分を軸方向に平行に切り取った形状に形成され、該係止部の正面の凸状曲面は横方向に平行で上下方向に湾曲していることを特徴とする請求項１記載の施錠装置の受け金具。
【請求項３】
前記係止部は、前記取付板部の側面の縁部から直角に突出するように形成されていることを特徴とする請求項１記載の施錠装置の受け金具。
【発明の詳細な説明】
【技術分野】
【０００１】
本発明は、スロットマシン、パチンコ機等のゲーム機に使用される施錠装置の受け金具に関する。
【背景技術】
【０００２】
例えば、パチンコホールなどで使用されるスロットマシンは、通常、矩形箱形のキャビネットの前面に前扉が設けられ、側部に設けた蝶番を介して開閉可能とされ、前扉の自由端側には、縦に施錠装置が取り付けられる。そして、前扉の閉鎖時には、キャビネット側に取り付けた受け金具に、その施錠装置の鉤部材が係止され、施錠される。
【０００３】
施錠装置は、前扉の自由端側の内側に縦に固定され、その上部と下部に突設された鉤部材に対向して、ゲーム機のキャビネット側に受け金具が取り付けられ、前扉を閉じると、前扉側の施錠装置の鉤部材がキャビネット側の受け金具の係止片に係止されて前扉が施錠される。このキャビネット側の受け金具は、通常、下記特許文献１に記載されるように、キャビネットの内壁部の取付固定される取付板部の一部を直角に曲げて鉛直面を形成するように、係止板部を形成して構成されている。
【特許文献１】実公昭５８−４１９９８号公報
【発明の開示】
【発明が解決しようとする課題】
【０００４】
そして、従来の一般的なゲーム機の施錠装置においては、図９に示すように、前扉を閉じると、施錠装置の鉤部材４０が、受け金具４１の鉛直に配置された係止板部４３の下縁部又は上縁部に対し係止され、施錠される。しかるに、図９に示す如く、受け金具４１は、その取付板部４２に対しその係止板部４３が鉛直線部分をその曲げ境界線として、鉤部材４０側つまり正面を向くように直角に曲げて形成されている。
【０００５】
このために、図９のように、鉤部材４０が受け金具４１の係止板部４３に係止された施錠状態で、施錠装置を固定した前扉を強く開方向に引いた場合、その開方向への荷重が鉤部材４０を介して受け金具４１の係止板部４３の板厚方向に印加されることになる。つまり、前扉を無理に開く際、鉤部材４０にかかる力の方向が、取付板部４２に対する係止板部４３の曲げ方向と一致していた。このため、係止板部４３には、その取付板部４２に対する曲げ角度を変える方向に荷重が加わり、取付板部４２に対する係止板部４３の直角の曲げ角度が変化しやすいという不具合があった。
【０００６】
したがって、不正解錠などにより前扉が強力に開方向に引かれた場合、係止板部４３の直角曲げ角度が変化し、つまり係止板部４３に変形が生じて、キャビネットと前扉の間に隙間が生じる虞があった。
【０００７】
また、前扉を閉じて施錠する際には、図９に示すように、鉤部材４０の傾斜部が先ず係止板部４３の下縁部に接触して下側への回動力が生じ、これにより鉤部材４０は一旦下方に傾動し、その後、図示しないばね部材の付勢力により水平状態に復帰して、鉤部材４０が係止板部４３に係止される施錠状態となるところ、係止板部４３の下縁部は切断面として角部を有しているため、鉤部材４０と係止板部４３の摩擦抵抗が増大し、前扉を閉じる際の閉鎖操作力が増大しやすいという課題があった。
【０００８】
本発明は、上記の点に鑑みてなされたもので、施錠状態で前扉が強く開方向に引かれた場合でも、係止部分の変形を防止すると共に、軽く前扉を閉じて施錠することができる施錠装置の受け金具を提供することを目的とする。
【課題を解決するための手段】
【０００９】
上記目的を達成するために、本発明の請求項１の施錠装置の受け金具は、ゲーム機のキャビネットの内側に取り付けられ、ゲーム機の前扉の内側に取り付けられた施錠装置の鉤部材が係止される施錠装置の受け金具において、キャビネットの内壁面に取付け固定される取付板部と、取付板部の側面に直角に突設され、鉤部材が係止される係止部とを備え、前扉の閉鎖時に鉤部材の先端傾斜部が接触する係止部の正面が凸状曲面を有して形成されていることを特徴とする。
【００１０】
また、請求項２の受け金具は、上記請求項１の受け金具において、上記係止部が円筒における円周の一部分を軸方向に平行に切り取った形状に形成され、係止部の正面の凸状曲面が横方向に平行で上下方向に湾曲していることを特徴とする。また、請求項３の受け金具は、上記請求項１の受け金具において、係止部が取付板部の側面の縁部から直角に突出するように形成されていることを特徴とする。
【発明の効果】
【００１１】
このように構成された施錠装置の受け金具は、ゲーム機のキャビネット（筐体、本体枠等を含む）の内側に固定され、キャビネットに対し開閉可能に装着された前扉（前枠、前面枠等を含む）の内側には、施錠装置がその鉤部材をキャビネット側に向けて縦に固定される。
【００１２】
施錠装置を固定した前扉を、受け金具を固定したキャビネットに対し閉じると、先ず、施錠装置の鉤部材の先端傾斜部が、受け金具の係止部前面の凸状曲面に接触し、さらに前扉を閉じるに伴い、ばね部材の付勢力に抗して鉤部材が回動し又は摺動して、鉤部材の係止凹部が係止部に達したとき、鉤部材が元の位置に戻って係止され、施錠状態となる。つまり、鉤部材は、受け金具の係止部前面の凸状曲面に滑らかに接触しながら閉鎖方向に進行すると共に回動し又は摺動して、鉤部材の係止凹部が係止部に達したとき、係止部の背面側の端面に係止されて、施錠される。したがって、閉鎖時に鉤部材の傾斜部と係止部の凸状曲面との間に生じる摩擦抵抗は非常に小さく、軽く前扉を閉じるだけで、容易に施錠することができる。
【００１３】
また、施錠状態において、前扉を開方向に引いたときの荷重は、鉤部材の係止凹部の前後方向つまり係止部の前後方向に印加されるところ、受け金具の係止部は単純な板状ではなく、その正面が凸状曲面形状に形成されると共に、その側面が略円弧状に形成され、前後に幅のある立体形状となっているため、その剛性と曲げ強度は充分に大きい。
【００１４】
従って、施錠状態において、不正解錠などにより前扉が強引に開方向に引っ張られた場合でも、係止部の変形や曲げは防止され、キャビネットと前扉の間に生じやすい隙間の発生を防止することができる。
【００１５】
また、請求項２のように、係止部が円筒における円周の一部分を軸方向に平行に切り取った形状に形成すれば、係止部全体が曲面で形成されるため、曲げ強度はより大きくなり、また、上部または下部等の何れの部分で鉤部材が接触しても、曲面接触となって、摩擦抵抗は最少となる。したがって、鉤部材の形状や大きさに関わらず、上側に傾斜部と係止凹部を有する鉤部材、或は下側に傾斜部と係止凹部を有する鉤部材の何れであっても、その鉤部材と係止部と摩擦抵抗を低減し、前扉を閉じて施錠する際の抵抗負荷を小さくすることができる。
【００１６】
また、請求項３のように、係止部が取付板部の側面の縁部から直角に突出する形状にした場合、金属板を素材としてプレス加工により、取付板部と係止部を一体成形することができ、少ない工程で、安価に受け金具を製造することができる。
【発明を実施するための最良の形態】
【００１７】
以下、本発明の実施の形態を図面に基づいて説明する。図１は施錠装置の受け金具１の左側面図と背面図を示し、図２はその右側面図と拡大断面図を示している。この受け金具１は、図のように金属板により縦長に成形され、スロットマシンなどのゲーム機のキャビネット３０の内側前縁部の側壁に、後述の施錠装置１０の対応位置に合わせて、縦に固定されるものである。
【００１８】
受け金具１は、図１、図２に示す如く、縦長の帯状金属板からなる取付板部２の上部と下部の左側面側に、凸状曲面３ａ、４ａを有する係止部３、４が水平に突設されて構成されている。この係止部３、４は、円筒における円周の一部分を軸方向に平行に切り取った形状に形成され、その先端部の形状つまり左側面の形状は、円弧状に形成される。つまり、係止部３、４は、円筒の一部を軸方向に平行に切り取った部分円筒外周形状で略樋状に形成され、その断面、側面共に円弧状に形成されている。係止部端面の円弧の円周上の角度は、例えば約１３５度となっており、角度約１３５度の円弧状側面を有する係止部３、４が、取付板部２の側面に、略横方向に直角に（水平に）突設されている。従って、円筒の一部から形成される係止部３、４は、その正面に凸状曲面３ａ、４ａを有し、その背面に凹状曲面３ｂ、４ｂを有し、凸状曲面３ａ、４ａの湾曲方向は上下（前後）方向となっている。
【００１９】
受け金具１の取付板部２には、複数の取付孔が穿設され、取付板部２を取付孔と固定ねじによりキャビネット３０の内側壁部に取り付けた際、係止部３、４の凸状曲面３ａ、４ａは、正面を向き、凸状曲面３ａ、４ａの湾曲方向が上下（前後）方向となるように、取り付けられる。さらに、取付板部２の正面側の縁部には長手方向に沿って段差部２ａが形成され、この段差部２ａにより取付板部２の曲げ強度を高くしている。また、係止部４の下側の取付板部２の側面に、施錠装置側の支持ローラ９を受けるためのローラ受け部５が水平に固定されている。
【００２０】
この受け金具１は、製造時、別個に形成した係止部３、４の端面を、取付板部２の側面に突き合わせ、その突合せ部分を溶接により固定して製作することもできるが、係止部４が取付板部２の側面の縁部から水平方向に直角に突出する形状であるから、帯状の金属板を素材として、プレス加工により、先ず取付板部２の側面の縁部に係止部の元となる部分を一体に付けて裁断しておき、その部分をプレス成形によって円弧状側面を有する凸状曲面形状に成形することができる。これにより、プレス成形のみの少ない作業工程で、受け金具１を製造でき、安価な製造コストでの製造が可能である。
【００２１】
一方、施錠装置１０は、図３〜図５に示すように、取付板１２と支持板を略断面Ｌ形または略コ字状に成形した縦長の基枠体１１を有し、支持板は、上から第１支持板１３、第２支持板１４、及び第３支持板１５に分かれて形成されている。そして、第１支持板１３の上部に、上鉤部材２３が枢支ピン２３ａを介して水平位置から下側に傾動可能に枢支され、一方、第３支持板１５には、下鉤部材２４が枢支ピン２４ａを介して水平位置から上側に傾動可能に枢支されている。
【００２２】
つまり、上鉤部材２３は三角形頭部の内側の係止凹部を上向きにして枢支され、下鉤部材２４は三角形頭部の内側の係止凹部を下向きにして、枢支されている。さらに、図５のように、上鉤部材２３の元部には内側に曲折してばね掛け部２３ｂが設けられ、このばね掛け部２３ｂを、第１支持板１３に設けた開口部から内側に差し入れるように装着される。そして、ばね掛け部２３ｂと第１支持板１３間にコイルばね１９ｂが掛けられ、上鉤部材２３は上側の施錠方向に付勢されており、水平位置で停止し、下方に傾動可能としている。このような上鉤部材２３は、前扉を閉じる施錠時には、受け金具１の係止部３に接触して回動力を受け、コイルばね１９ｂの付勢力に抗して回動（傾動）可能である。さらに、この上鉤部材２３には、第１支持板１３の外側に摺動可能に配設した第１解錠作動杆２５の係合部２５ｂが係合可能であり、解錠操作時に、第１解錠作動杆２５が下降したとき、その係合部２５ｂが上鉤部材２３の一部に係合して、これを水平位置から下側に傾動させ、解錠動作を行う。
【００２３】
さらに、第３支持板１５の上部に下鉤部材２４が枢支ピン２４ａにより上側に傾動可能に水平に枢支される。この下鉤部材２４はその三角形頭部の内側の係止凹部を下向きにして下側に傾動可能に、第３支持板５の外側に枢支され、下鉤部材２４の元部に内側に曲折して設けたばね掛け部２４ｂを、第３支持板５に設けた開口部から内側に差し入れて装着される。そして、ばね掛け部２４ｂと第３支持板５間にコイルばね１９ｃが掛けられ、下鉤部材２４は下側の施錠方向に付勢されており、水平位置で停止し、上方に傾動可能としている。下鉤部材２４は、前扉を閉じる施錠時には、受け金具１の係止部３に接触して回動力を受け、コイルばね９ｃの付勢力に抗して回動可能である。さらに、この下鉤部材２４には、第３支持板１５の外側に摺動可能に配設した第２解錠作動杆２６の係合部２６ｂが係合可能であり、解錠操作時に、第２解錠作動杆２６が上昇したとき、その係合部２６ａが下鉤部材２４の一部に係合して、これを水平位置から上側に傾動させ、解錠動作を行う。
【００２４】
さらに、図５に示すように、第１解錠作動杆２５には３個のガイド用の長孔が形成され、それらの長孔にガイドピン２８ａ、２８ｂ、２８ｃが挿入され、各ガイドピン２８ａ、２８ｂ、２８ｃの先端が第１支持板１３に固定される。これにより、第１解錠作動杆２５は第１支持板１３の外側に沿って上下に摺動可能に、それらの長孔とガイドピン２８ａ、２８ｂ、２８ｃの係合により支持され、上鉤部材２３は第１支持板１３の外側に枢支されている。また、第１解錠作動杆２５の下部は、図３に示すように、対向壁部１６とカム部材１８の間を通るように曲折されて配設され、第１解錠作動杆２５の下部にはカム部材１８の第１係合凸部１８ａが係合可能な係合部２５ｃが形成されている。後述のシリンダ錠１７の操作によってカム部材１８を、図３の反時計方向に回動させたとき、カム部材１８の第１係合凸部１８ａが係合部２５ｃ係合して第１解錠作動杆２５を下方に摺動させるように動作する。
【００２５】
また、第２解錠作動杆２６には２個のガイド用の長孔が形成され、それらの長孔にガイドピン２８ｄ、２８ｅが挿入され、各ガイドピン２８ｄ、２８ｅの先端が第３支持板１５に固定される。これにより、第２解錠作動杆２６は第３支持板１５の外側に沿って上下に摺動可能に、長孔とガイドピン２８ｄ、２８ｅの係合により支持されている。
【００２６】
また、第２解錠作動杆２６の上部は、図３に示すように、第２支持板１４とカム部材１８の間を通るように配設され、第２解錠作動杆２６の上部にはカム部材１８の第２係合凸部１８ｂが係合可能な係合部２６ｂが形成されている。カム部材１８は、図３に示すように、第１係合凸部１８ａと第２係合凸部１８ｂを、カムの中心を通る対角線上に形成しており、後述のシリンダ錠１７の操作によってカム部材１８を、図３の反時計方向に回動させたとき、カム部材１８の第２係合凸部１８ｂが係合部２６ｂと係合して第２解錠作動杆２６を上方に摺動させる。このように、カム部材１８の反時計方向の回動により、第１解錠作動杆２５は下方に摺動し、第２解錠作動杆２６は上方に摺動するようにしている。
【００２７】
さらに、中間位置の第２支持板１４の内側には、スイッチ用作動杆２７が摺動可能に配設される。スイッチ用作動杆２７には図５に示すように作動部２７ａが外側に突出して設けられ、この作動部２７ａを第２支持板１４に設けた長孔から突き出すように、第２支持板１４と第２解錠作動杆２６の上端部との間で摺動可能に支持されている。また、このスイッチ用作動杆２７と第２支持板１４との間にコイルばね１９ｅ（図３）が掛け渡され、スイッチ用作動杆２７を上方に付勢する。
【００２８】
また、スイッチ用作動杆２７の上部にはカム部材１８の第３係合凸部１８ｃと係合可能な係合部２７ｂが設けられ、図３における時計方向（解錠操作時とは逆方向）にカム部材１８が回動したとき、第３係合凸部１８ｃが係合部２７ｂに係合し、スイッチ用作動杆２７を下方に摺動させる。第２支持板１４の外側に、ブラケット２９を介して非接触スイッチが取り付けられ、スイッチ用作動杆２７の下方摺動時に作動部２７ａが作用して、非接触スイッチがオンオフ作動する。
【００２９】
取付板１２における第２支持板４と対向壁部１６の間には、シリンダ錠１７が錠軸１７ａを基枠体１１内に挿入するように、前方に突出して取り付けられる。取付板１２の所定位置に大径孔が穿設され、その大径孔にシリンダ錠１７の外筒を通し、その元部のフランジ１７ｂを取付板１２に固定するようにして、シリンダ錠１７は取り付けられる。シリンダ錠１７の錠軸１７ａには上記カム部材１８が固定される。
【００３０】
上記のように、カム部材１８には、３個の第１係合凸部〜第３係合凸部１８ａ〜１８ｃが設けられ、そのうちの対角線上の２個の第１、第２係合凸部１８ａ、１８ｂは、第１解錠作動杆２５を下方に第２解錠作動杆２６を上方に摺動させて、解錠用に使用され、残り１個の第３係合凸部１８ｃはスイッチ用作動杆２７をスイッチ作動用に使用される。なお、第３支持板１５の突出した部分には、支持ローラ９が回動自在に軸支され、扉の閉鎖時にキャビネット３０側のローラ受け部５を転動し、前扉３１を支持するように作用する。
【００３１】
施錠装置１０は、図６のように、ゲーム機の前扉３１の内側に、その上鉤部材２３、下鉤部材２４をキャビネット３０側の受け金具１の係止部３、４に向けて、縦に固定される。施錠装置１０のシリンダ錠１７の先端操作面は、前扉３１の前面に露出し、前扉３１の前面側から操作される。
【００３２】
次に、上記構成のゲーム機の施錠装置の動作を説明する。施錠装置１０を取り付けた前扉３１を、受け金具１を固定したキャビネット３０に対し閉じると、先ず、施錠装置１０の上鉤部材２３と下鉤部材２４の先端傾斜部が、受け金具１の係止部３、４の凸状曲面３ａ、４ａに接触する。
【００３３】
このとき、上鉤部材２３は下側に傾動する荷重を受けて下側に傾動し、下鉤部材２４は上側に傾動する荷重を受けて上側に傾動する。そして、各鉤部材２３、２４の三角形頭部元部の係止凹部が係止部３、４に達したとき、コイルばね１９ｂ、１９ｃの付勢力によって上鉤部材２３と下鉤部材２４が水平位置に戻り、図８のように、係止部３、４の背面側の縁部に、各鉤部材の係止凹部が係止され、施錠状態となる。
【００３４】
このとき、上鉤部材２３と下鉤部材２４の先端傾斜部は、受け金具１の係止部３、４の凸状曲面３ａ、４ａに接触しながら傾動するため、先端傾斜部と凸状曲面３ａ、４ａの摩擦抵抗は非常に小さく、非常に軽い力で前扉３１を閉じて施錠ができると共に、両部材の摩耗を低減することができる。
【００３５】
すなわち、受け金具１の係止部３、４は、上鉤部材２３と下鉤部材２４の傾動方向と同じ上下（前後）方向に湾曲した凸状曲面３ａ、４ａを有しているため、前扉３１を閉じる際、上鉤部材２３と下鉤部材２４の先端傾斜部は、係止部３、４の凸状曲面３ａ、４ａに沿って滑るように移動するので、その間の摩擦抵抗は非常に小さくなる。一方、上鉤部材２３、下鉤部材２４を施錠側に付勢するコイルばね１９ｂ、１９ｃの付勢力は、各々上鉤部材２３、下鉤部材２４を単独で水平位置に戻すのみで良いため、非常に弱いばね力となっており、また、各鉤部材２３、２４の先端傾斜部が受ける荷重はさらに小さくなるから、前扉３１を閉じる際の閉鎖操作力は、非常に小さくなる。
【００３６】
このように、上鉤部材２３、下鉤部材２４の先端傾斜部と係止部３、４の凸状曲面３ａ、４ａとの間の摩擦抵抗が非常に小さく、上鉤部材２３、下鉤部材２４を施錠側に単独で付勢するコイルばね１９ｂ、１９ｃの付勢力も小さく、さらに、前扉３１を開閉可能に支持する蝶番の軸と軸受間の摩擦抵抗も非常に小さいため、前扉３１は非常に軽く閉じることができる。
【００３７】
一方、施錠状態において、不正解錠行為などにより前扉３１が強引に開方向に引っ張られた場合、受け金具１の係止部３、４には、上鉤部材２３、下鉤部材２４の係合凹部の縁部を介して、前後方向に曲げ荷重が印加される。しかし、係止部３、４は、単純な板状ではなく、円筒の円周の一部を軸方向に平行に切り取った部分円筒外周曲面形状に形成されるため、その係止部３、４に大きな曲げ荷重が印加され場合、その荷重は曲面形状によって分散され、係止部３、４が曲折されることは防止される。したがって、前扉３１を強引に開方向に引いた場合でも、係止部３、４の取付板部２に対する角度は変化せず、係止部３、４の曲げや変形を防止して、キャビネット３０と前扉３１の間に生じやすい隙間の発生を防止することができる。
【００３８】
このように、従来の受け金具にあっては、一般に図９に示す如く、係止板部が取付板部の垂直取付面に対し直角な鉛直面をもって曲折形成されていたため、不正解錠を目的として強く前扉が開方向に強力に引っ張られた場合、通常の板厚の受け金具では、取付板部に対し係止板部が曲がり、前扉とキャビネットとの間に隙間が生じる虞があったが、本施錠装置の受け金具１によれば、前扉３１の開方向の力は受け金具１の係止部３、４平面方向に加わるため、係止部３、４の曲がり変形を防止して、隙間の発生を防止することができる。
【００３９】
一方、前扉３１を開く場合は、キーによってシリンダ錠１７の錠軸１７ａを回し、カム部材１８を図３の反時計方向に回転させる。これにより、カム部材１８の第１係合凸部１８ａが第１解錠作動杆２５の係合部２５ｃと係合してこれを下方へ摺動させ、同時にカム部材１８の第２係合凸部１８ｂが第２解錠作動杆２６の係合部２６ｂと係合してこれを上方へ摺動させる。
【００４０】
このとき、カム部材１８はその第１係合凸部１８ａと第２係合凸部１８ｂがカムの中央を通る対角線上に位置するため、カム部材１８には第１解錠作動杆２５と第２解錠作動杆２６を摺動させるための荷重がバランスよく作用し、比較的軽い力で第１解錠作動杆２５と第２解錠作動杆２６を解錠方向に摺動させることができる。
【００４１】
そして、解錠操作時には、第１解錠作動杆２５が下方に摺動し、第２解錠作動杆２６が上方に摺動し、上鉤部材３が下方に傾動し、下鉤部材４が上方に傾動する。この上鉤部材３と下鉤部材４の傾動によって、キャビネット３０側の受け金具１の係止部３、４との係合が外れ、前扉３１は開放可能な状態となる。
【００４２】
なお、上記実施形態では、受け金具１の係止部３、４は、円筒の円周の一部を軸方向に平行に切り取った形状の部分円筒外周形状としたが、必ずしも正確な円筒の一部である必要はなく、係止部の正面が凸状曲面で形成されると共に、係止部の側面が略円弧状に形成されているものであれば使用可能である。
【００４３】
また、上記実施形態の施錠装置１０は、その鉤部材が支持板に枢軸を介して枢支され、傾動する構造であったが、施錠杆の上部と下部に鉤部が一体的に突設され、施錠杆が基枠体内に摺動可能に配設され、鉤部が平行移動する構造のものであってもよい。また、上記実施形態の受け金具１は、１本の取付板部２の上部と下部に、係止部３、４を設けた構造であったが、取付板部を上部と下部に分離し、各々の取付板部に係止板部を設ける構造であっても、本発明を適用することができる。
【図面の簡単な説明】
【００４４】
【図１】本発明の一実施形態を示す施錠装置の受け金具１の左側面図（ａ）と背面図（ｂ）である。
【図２】同受け金具１の右側面図（ａ）とそのｂ−ｂ断面図である。
【図３】施錠装置１０の背面図である。
【図４】施錠装置１０の左側面図である。
【図５】施錠装置１０の分解右側面図である。
【図６】使用状態を示す前扉の解放時の施錠装置と受け金具の左側面図である。
【図７】施錠するまでの動作を示す施錠装置と受け金具の部分左側面図である。
【図８】施錠時の施錠装置と受け金具の左側面図である。
【図９】従来の受け金具を示す斜視図である。
【符号の説明】
【００４５】
１−受け金具
２−取付板部
３、４−係止部
３ａ、４ａ−凸状曲面
１０−施錠装置
１７−シリンダ錠
１８−カム部材
２３−上鉤部材
２４−下鉤部材
【図１】
2006345913.tif 000003
【図２】
2006345913.tif 000004
【図３】
2006345913.tif 000005
【図４】
2006345913.tif 000006
【図５】
2006345913.tif 000007
【図６】
2006345913.tif 000008
【図７】
2006345913.tif 000009
【図８】
2006345913.tif 000010
【図９】
2006345913.tif 000011